(57)【要約】【課題】この発明は、簡便にして容易な製作を含む組付作業を実現し得るようにすることにある。【解決手段】セパレータ絞り38の複数の開口381を挟んだ両端部の一方に円形状の第１の孔382と、両端部の他方に長孔形状の第２の孔383を分離して形成し、この第１の孔382の内壁に３個のスリット382aを内径から外方向に形成すると共に、第２の孔383の長辺の内壁に所定の間隔に４個のスリット383aを外方向に向けて形成し、このセパレータ絞り38の第１の孔及び第２の孔382,383に各スリット382a,383aの弾性力を利用して枠部材37の位置決め取付け用の一対の突部373,374挿入して組付け配置した後、セパレートレンズ35の第１及び第２の孔352,353に枠部材37の位置決め取付け用の一対の突部373,374を挿入して組付け配置するように構成したものである。【選択図】      図５
2009186619.tif 000002
【特許請求の範囲】
【請求項１】
被写体光束を集光するコンデンサレンズと、
上記コンデンサレンズを透過した光束を受けるセパレータレンズと、
上記セパレータレンズを透過した光束を受けるＡＦ用センサと、
互いに離間した一対の円柱状の突部を有し、上記コンデンサレンズ、上記セパレータレンズ、上記ＡＦ用センサが組付け配置される基台と、
上記基台あるいは上記セパレータレンズの一方に設けられ、位置決め取付け用の一対の円柱状突部と、
上記セパレータレンズの直前に配置され、複数の開口、固定・位置決め用の一対の孔を有し、該一対の孔の一方は、上記一対の突部の一方の直径と略同一の孔径を有すると共に、内壁に複数の第１の弾性係止部を有し、上記一対の孔の他方は、長軸が上記一対の突部を結んだ直線と平行な長孔形状を有した絞りマスクと、
を具備したことを特徴とする焦点検出装置。
【請求項２】
上記絞りマスクの一対の孔の他方は、一対の長辺の内壁に複数の第２の弾性係止部が設けられることを特徴とする請求項１記載の焦点検出装置。
【請求項３】
上記複数の第１の弾性係止部は、孔の内径から外方に切り込んだスリット状に形成されることを特徴とする請求項１又は２記載の焦点検出装置。
【請求項４】
上記第１の弾性係止部は、少なくとも３箇が、放射状に設けられることを特徴とする請求項３記載の焦点検出装置。
【請求項５】
上記複数の第２の弾性係止部は、一対の長辺の内径から外方に切り込んだスリット状に形成されることを特徴とする請求項２乃至４のいずれか記載の焦点検出装置。
【請求項６】
上記第２の弾性係止部は、長辺にそれぞれ少なくとも２箇所設けられることを特徴とする請求項５記載の焦点検出装置。
【請求項７】
上記絞りマスクは、金属材料をエッチング加工処理して上記開口及び一対の孔を形成し、少なくとも光束の入力側となる一方面における上記開口の周囲に、他の領域に比して表面光沢具合を低く抑えた反射制限領域が設けられることを特徴とする請求項１乃至６のいずれか記載の焦点検出装置。
【発明の詳細な説明】
【技術分野】
【０００１】
この発明は、例えばオートフォーカスタイプの一眼レフレックスカメラなどに用いられる焦点検出装置に関する。
【背景技術】
【０００２】
一般に、この種の焦点検出装置は、撮影光学系で取り込んだ光学像の一部が可動自在な反射メインミラー及びサブミラーを介してコンデンサレンズに取込まれる。このコンデンサレンズに取込まれた光束は、反射光学系、セパレータレンズを介してＡＦ（オートフォーカス）用センサに導かれて焦点距離の検出が行われる。
【０００３】
ところで、このような焦点検出装置は、反射光学系を介してコンデンサレンズに導かれて集光された光束を、セパレータ（Ｓ）絞りと称する絞りマスクを介してセパレータレンズに高精度に導くことにより、ＡＦ用センサによる高精度な焦点検出が可能となる。そのため、焦点検出装置においては、所望の合焦精度を得るように光束制限部材である絞りマスクとセパレータレンズとの高精度な取付け配置が要求される。さらに、セパレータレンズに入射するフレアやゴーストなどを発生させる不要光の侵入を押さえることにより、高精度な焦点検出を行うようにした焦点検出構成のものが提案されている（例えば、特許文献１参照。）。
【特許文献１】特開昭６３−１４２３１１号公報
【発明の開示】
【発明が解決しようとする課題】
【０００４】
しかしながら、上記特許文献１に開示されるような焦点検出装置では、光束制限部材を組付け配置する際には高精度な組付精度が要求され、その製作を含む組付作業が難しいという問題を有する。
【０００５】
この発明は、上記の事情に鑑みてなされたもので、簡便にして容易な製作を含む組付作業を実現し得るようにした焦点検出装置を提供することを目的とする。
【課題を解決するための手段】
【０００６】
この発明は、被写体光束を集光するコンデンサレンズと、上記コンデンサレンズを透過した光束を受けるセパレータレンズと、上記セパレータレンズを透過した光束を受けるＡＦ用センサと、互いに離間した一対の円柱状の突部を有し、上記コンデンサレンズ、上記セパレータレンズ、上記ＡＦ用センサが組付け配置される基台と、上記基台あるいは上記セパレータレンズの一方に設けられ、位置決め取付け用の一対の円柱状突部と、上記セパレータレンズの直前に配置され、複数の開口、固定・位置決め用の一対の孔を有し、該一対の孔の一方は、上記一対の突部の一方の直径と略同一の孔径を有すると共に、内壁に複数の第１の弾性係止部を有し、上記一対の孔の他方は、長軸が上記一対の突部を結んだ直線と平行な長孔形状を有した絞りマスクとを備えて焦点検出装置を構成した。
【０００７】
上記構成によれば、絞りマスクは、一対の孔の一方に第１の弾性係止部の弾性力を利用して一対の円柱状突部の一方が弾性係合されると共に、該一対の孔の他方に一対の円柱状突部の他方が挿入されることで、取付けの自由を確保したうえで、一対の円柱状突部を介して基台と位置決めされるセパレータレンズの直前に、円柱状突部を介して位置決めされて取付け配置される。
【０００８】
これにより、絞りマスクとセパレータレンズは、相互間が突部を介して絞りマスク（セパレータ絞り）とセパレータレンズの偏芯（相対芯）を小さくする構造となり、基台に対して高精度で取付け配置することができて、高精度な焦点検出が可能となる。従って、部品点数の増加を図ることなく、しかも、絞りマスク及びセパレータレンズを含む加工製作に影響を受けることなく、簡便にして容易な組立作業を実現したうえで、高精度な焦点検出を実現することが可能となる。
【発明の効果】
【０００９】
以上述べたように、この発明によれば、簡便にして容易な製作を含む組付作業を実現し得るようにした焦点検出装置を提供することができる。
【発明を実施するための最良の形態】
【００１０】
以下、この発明の実施の形態に係る一眼レフレックスカメラのための焦点検出装置について、図面を参照して詳細に説明する。
【００１１】
図１は、この発明の一実施の形態に係る焦点検出装置を搭載した一眼レフレックスカメラを示すもので、カメラボディ１０は、前カバー１０１、ストロボカバー１０２及び後カバー１０３等で構成される。このうち、前カバー１０１には、その前面略中央部にボディマウント部１１が設けられ、このボディマウント部１１には、図示しない撮影光学系が選択的に装着されて撮影が行われる。
【００１２】
そして、ボディマウント部１１の後方略中央部には、メインミラー１２及びサブミラー１３が可動自在に配置される。また、カメラボディ１０には、カメラ上方に焦点板１４、ペンタプリズム１５、接眼光学系１６が上記メインミラー１２の反射光路上に順に配置され、そのカメラ下方に焦点検出装置を構成する焦点検出部３０が上記サブミラー１３の反射光路に対応して配置される。
【００１３】
そして、サブミラー１３後方の光路上には、シャッタ装置１７、ローパスフィルタ１８を介して撮像素子を含む撮像部１９が配置されている。この撮像部１９は、処理制御部を構成する図示しないＣＰＵの搭載された印刷配線基板２０に電気的に接続されている。
【００１４】
上記焦点検出部３０は、図２及び図３に示すようにコンデンサレンズ３１、第１のミラー３２、第２のミラー３３、赤外カットフィルタ３４、セパレータレンズ３５及びＡＦ（オートフォーカス）センサ３６が枠部材３７を介して後述するように組付け配置されている。このＡＦ用センサ３６は、例えば周知のセンサアレイを用いた位相差方式のものが用いられている。
【００１５】
上記コンデンサレンズ３１は、カメラ後方の斜め上向き方向に向いて基台である枠部材３７に取付けられ、このコンデンサレンズ３１の光軸上上方には、取付枠３７１が配置され、下方には、コンデンサレンズ３１を透過して入射した光束を、上記撮影光学系の後方に反射するように上記第１のミラー３２が配置されている。そして、この第１ミラー３２の反射光路には、第１のミラー３２の反射した光束をカメラ下方に反射するように上記第２のミラー３３が、配置されている。
【００１６】
第２のミラー３３の反射光路には、上記セパレータレンズ３５が、絞りマスクと称するセパレータ絞り３８を介して対向配置される（図２参照）。これら第１及び第２のミラー３２，３３の反射面には、それぞれミラー絞り３９，４０が配置されている。
【００１７】
上記セパレータ絞り３８は、金属材料、例えばＳＵＳ３０４ＣＳＰ１/２Ｈで、５/１００ｍｍ程度の厚さ寸法でエッチング加工処理により形成され、図４に示すように略中央部に４個の開口３８１がセパレータレンズ３５の４個の結像レンズ３５１に対応して配置される。そして、セパレータ絞り３８の複数の開口３８１を挟んだ両側部には、対を構成する円形状の位置決め用第１の孔３８２、及び長孔形状の回転止め用第２の孔３８３が、上記枠部材３７に設けられた位置決め取付け用の一対の円柱状突部３７３，３７４の外径形状（直径）に対応して同様にエッチング加工処理により形成されている。
【００１８】
このうち第１の孔３８２は、上記枠部材３７の突部３７３の外径と同寸法の孔として形成される。本実施形態では、第１の孔３８２を直径１．４ｍｍで、寸法許容差＋０．００５ｍｍ、−０．０１ｍｍと設定し、突部３７３の外径は、直径１．４ｍｍで寸法許容差−０．０１ｍｍ、−０．０２５ｍｍと設定した。所謂、すきま嵌めである。その内壁に複数の第１の弾性係止部２８２ｂを構成する、例えば少なくとも３個、内径から外方に向けて、例えば放射状に切り欠いたスリット３８２ａが所定の間隔、例えば、円周方向に１３５度、１３５度、９０度の非等間隔に形成されている（図４中では、図示せず、図５参照）。したがって、スリット３８２ａ同士の間には、先端が円弧状に凹んだ凸状の上記弾性係止部３８２ｂが形成されることになる。
【００１９】
他方の第２の孔３８３は、長孔に形成され、その長軸が上記枠部材３７の一対の突起３７３，３７４を結んだ直線と平行に設けられ、一対の長辺はその直線を中央に挟み配置され、その一対の長辺同士の間隔が上記枠部材３７の突起３７４の外径と略同寸法に形成されている。長軸方向の寸法は突起３７４の外径より若干大きい。そして、この第２の孔３８３の一対の長辺の各内壁に複数の第２の弾性係止部を構成する、例えば少なくとも２個、一対の長辺の一方の長辺を長辺方向に挟んで、内径から外方に向けて切り欠いたスリット３８３ａが所定の間隔に形成されている（図５参照）。
【００２０】
したがって、二つのスリット３８３ａの間には、先端が直線の突状の上記弾性係止部３８３ｂが形成されることになる。第２の孔３８３の長孔の孔幅方向の寸法を直径１，４ｍｍで寸法許容差＋０．００５ｍｍ、−０．０１ｍｍと設定し、円柱状突部３７４の外径も直径１．４ｍｍで寸法許容差−０．０１ｍｍ、−０．０２５ｍｍと設定した。所謂、すきま嵌めである。
【００２１】
したがって、一対の円柱状突部３７３，３７３と第１の孔３８２、第２の孔３８３の２箇所の嵌合部は、寸法差が０、すなわちクリアランスが無いときでも弾性係止部３８２ｂ、３８３ｂが撓むことができて嵌合は常に容易に可能となっていて、二つの嵌合部の寸法をつめることができて精度の高い組付けができることになる。
【００２２】
また、上記セパレータ絞り３８は、例えば図５に示すように光束入射側の一方面の上記開口３８１の内壁を含む開口３８１の周囲に反射制限領域Ａが、例えばいわゆるハーフエッチング処理した後、黒着色処理、例えばステンレス黒着色処理を施して、他の領域に比して表面を荒くして光沢具合が低く抑えられている。
【００２３】
したがって、この表面からの光の反射が抑えられて不要な光が減じてセパレータレンズ３５に入射され難くしている。これにより、セパレータ絞り３８は、周囲からのフレアやゴーストを発生する不要光をセパレータレンズ３５に導くのを効果的に防止することができて、セパレータレンズ３５を通して高精度な合焦を実現し、ＡＦ用センサ３６による高精度な測距を可能とする。
【００２４】
上記セパレータレンズ３５には、結像レンズ３５１を挟んで両端部に対を構成する位置決め用の略円形状の第１の孔３５２及び回転止め用の長孔形状の第２の孔３５３が上記枠部材３７の突部３７３，３７４の外径形状に対応して設けられている。この第１及び第２の孔３５２，３５３には、上記セパレータ絞り３８の第１及び第２の孔３８２，３８３に挿通された上記枠部材３７の一対の突部３７３，３７４が嵌合、挿入される。
【００２５】
第１の孔３５２の孔寸法は、直径１．４ｍｍで寸法許容差＋０．０２ｍｍ、−０ｍｍと設定し、突部３７３の外径は、直径１．４ｍｍで寸法許容差−０．０１ｍｍ、−０．０２５ｍｍと設定した。所謂、すきま嵌めである。また、第２の孔３５３の長孔の孔幅方向の寸法を直径１．４ｍｍで寸法許容差＋０．０２ｍｍ、−０ｍｍと設定し、円柱状突部３７４の外径も直径１．４ｍｍで寸法許容差−０．０１ｍｍ、−０．０２５ｍｍと設定した。所謂、すきま嵌めである。上記セパレータレンズ３５は、ＰＭＭＡ等の射出用合成樹脂からなっているので容易く、この素材の孔に弾性的挙動を望められず、軸との嵌合は生産上での寸法ばらつきを考慮したうえで、可能な限り小さなクリアランスを採り得るように決定されるものである。
【００２６】
このようにして、セパレータレンズ３５は、枠部材３７の突部３７３，３７４に位置決めされて取付けられたセパレータ絞り３８に対して該枠部材３７の突部３７３，３７４を介して相互間が位置決めされて枠部材３７に取付け配置される。これにより、セパレータ絞り３８は、セパレータレンズ３５に対して所望の測距性能を確保できるまでの相対芯を得た状態に組付け配置される。
【００２７】
また、上記第１のミラー３２の反射光路であって、第１及び第２のミラー３２，３３の中間部には、上記赤外カットフィルタ３４が配置されている。この赤外カットフィルタ３４は、上記枠部材３７に支持されて第１のミラー３２の反射光路上に配置され、上記第１のミラー３２で反射された後の光束からＡＦ用センサ３６に不要な赤外光成分を除去し、第２のミラー３３に反射する。
【００２８】
第２のミラー３３は、入射した光束を上記セパレータ絞りの開口を通してセパレータレンズ３５の結像レンズ３５１に向けて反射する。このセパレータレンズ３５の光軸上には、上記ＡＦ用センサ３６が配置され、セパレータ絞り３８の４個の開口を通して入射した第２のミラー３３からの光束を、４分割してＡＦ用センサ３６に案内する。
【００２９】
このＡＦ用センサ３６は、例えばホルダー部材３７２を介して上記枠部材３７に取付けられ、フレキシブル印刷配線基板４１を介して上記印刷配線基板２０に電気的に接続されている。ＡＦ用センサ３６は、セパレータレンズ３５から入射した光束に基づいて焦点位置を検出して、その検出信号を、フレキシブル印刷配線基板４１を介して印刷配線基板２０に出力する。
【００３０】
上記構成において、撮影光学系で取込んだ被写体光束は、メインミラー１２により反射されて焦点板１４及びサブミラー１３に導かれる。このうち焦点板１４に導かれた被写体光束は、ペンタプリズム１５を介して接眼光学系１６に導かれたファインダ接眼枠２１を介して観察される。
【００３１】
そして、メインミラー１２を透過した被写体光束の一部は、サブミラー１３に導かれて集光され、第１のミラー３２で撮影光学系の光軸後方に反射される。この第１のミラー３２で反射された光束は、赤外カットフィルタ３４で赤外光成分が除去された後、第２のミラー３３でカメラ下方に反射される。
【００３２】
この第２のミラー３３で反射された光束は、所望の相対芯を有して取付け配置されたセパレータ絞り３８及びセパレータレンズ３５を通して分割されてＡＦ用センサ３６に入射される。ＡＦ用センサ３６は、セパレータレンズ３５を通して入射されたフレアやゴーストを発生させる不要光を殆ど含まない光束に基づいて焦点距離を検出して、その検出した検出信号を、フレキシブル印刷配線基板４１を介して上記印刷配線基板２０のＣＰＵに出力する。ＣＰＵは、入力した検出信号に基づいて所定の輝度の処理を実行して駆動信号を生成し、この駆動信号に基づいて上記撮影光学系の調整機構を駆動して焦点調整を実行する。
【００３３】
このように、上記焦点検出装置は、セパレータ絞り３８の複数の開口３８１を挟んだ両端部の一方に円形状の第１の孔３８２と、両端部の他方に長孔形状の第２の孔３８３を分離して形成し、この第１の孔３８２の内壁に３個のスリット３８２ａを内径から外方向に形成すると共に、第２の孔３８３の長辺の内壁に所定の間隔に４個のスリット３８３ａを外方向に向けて形成し、このセパレータ絞り３８の第１の孔及び第２の孔３８２，３８３に各スリット３８２ａ，３８３ａの弾性力を利用して枠部材３７の位置決め取付け用の一対の突部３７３，３７４を挿入して組付け配置した後、セパレートレンズ３５の第１及び第２の孔３５２，３５３に枠部材３７の位置決め取付け用の一対の突部３７３，３７４を挿入して組付け配置するように構成した。
【００３４】
これにより、セパレータ絞り３８を、セパレータレンズ３５の直前に枠部材３７の突部３７３，３７４に高精度に位置決め配置することができることになり、枠部材３７に順次、セパレータ絞り３８、セパレータレンズ３５を簡便に組付けることができ、容易な組付作業を確保し得る。この結果、性能を落とすことなく、ＡＦ用センサ３６による高精度な測距、合焦が実現される。
【００３５】
なお、上記実施の形態では、セパレータ絞り３８の第１及び第２の孔３８２，３８３の双方にスリット３８２ａ，３８３ａをそれぞれ形成して、それぞれスリット３８２ａ，３８３ａの弾性力を利用して枠部材３７の一対の突部３７３，３７４を嵌合させるように構成した場合について説明したが、これに限ることなく、少なくとも第１の孔３８２に３個以上のスリット３８２ａを形成して、このスリット３８２ａの弾性力を利用して第１及び第２の孔３８２，３８３に対して枠部材３７の一対の突部３７３，３７４を嵌合させて組付け配置するように構成することで、略同様の効果が期待される。
【００３６】
また、上記実施の形態では、第１及び第２の弾性係止部３８２ｂ、３８３ｂとして、スリット３８２ａ，３８３ａをセパレータ絞り３８の第１及び第２の孔３８２，３８３の内壁に内径から外方に形成するように構成した場合について説明したが、これに限ることなく、その他、第１及び第２の孔３８２，３８３の内壁を、内径から外方に上記スリット幅より大きな幅で切欠いて突状の上記弾性係止部３８２ｂ，３８３ｂとなる突状部を形成するように構成することも可能である。
【００３７】
この場合にも、少なくとも第１の孔３８２に少なくとも３箇所以上の突状部を形成して、この突状部の弾性力を利用して第１及び第２の孔３８２，３８３に対して枠部材３７の一対の突部３７３，３７４を嵌合させて組付け配置するように構成することで、略同様の効果が期待される。
【００３８】
さらに、上記実施の形態では、枠部材３７のセパレータレンズ３５及びセパレータ絞り３８を取付け配置するための一対の突部３７３，３７４を設けて構成した場合について説明したが、これに限ることなく、その他、セパレータレンズ３５を、例えばプラスチック材料で形成して位置決め取付け用の一対の円柱状突部を設けるように構成することも可能で、略同様の効果が期待される。
【００３９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００４０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【００４１】
また、この発明は、上記実施の形態に基づいて、次のような構成を得ることもできる。
【００４２】
（付記１）
焦点検出装置において、
焦点を検出するための被写体光束を集光するコンデンサレンズと、
上記コンデンサレンズを透過した光束を受けるセパレータレンズと、
上記セパレータレンズを透過した光束を受けるＡＦ用センサと、
互いに離間した一対の円柱状の突部を有し、上記コンデンサレンズ、セパレータレンズ、ＡＦ用センサが配置される基台と、
上記セパレータレンズの直前に配置され、複数の開口を有し、固定用の一対の孔を有し、一方の孔には上記一対の孔を有し、一方の孔には上記一対の突部の一方の直径と略同一の孔径を有し、該一方の孔は外一報の突部と嵌合して固定されるため、内径から外方に向けて切り込まれた第１のスリットを有し、他方の孔は略長孔形状を有し、該長孔の長軸が上記一対の突部を結んだ直線と平行に設けられ、該長孔の一対の長辺が他方の突部と係合し固定されるため、該長辺から外方に向けて切り込まれた第２のスリットを有した絞りマスクと、
を具備したことを特徴とする焦点検出装置。
【００４３】
（付記２）
上記絞りマスクは金属材料からなり、上記絞りマスクの上記複数の開口周囲はエッチングによりその表面が荒らされた状態となっていることを特徴とした上記請求項１記載の焦点検出装置。
【図面の簡単な説明】
【００４４】
【図１】この発明の一実施の形態に係る焦点検出装置を配した一眼レフレックスカメラの概略構成を説明するために示した断面図である。
【図２】図１の焦点検出部の外観構成を示した斜視図である。
【図３】図１の焦点検出部の配置構成を説明するために示した断面図である。
【図４】図１の焦点検出部のＡＦ用センサを枠部材から取外してセパレータレンズ及びセパレータ絞りと枠部材との配置関係を説明するために示した分解斜視図である。
【図５】図１の焦点検出部のセパレータ絞りの一例を示した平面図である。
【符号の説明】
【００４５】
１０…カメラボディ、１０１…前カバー、１０２…ストロボカバー、１０３…後カバー、１１…ボディマウント部、１２…メインミラー、１３…サブミラー、１４…焦点板、１５…ペンタプリズム、１６…接眼光学系、１７…シャッタ装置、１８…ローパスフィルタ、１９…撮像部、２０…印刷配線基板、２１…ファインダ接眼枠、２２…バックモニター、３０…焦点検出部、３１…コンデンサレンズ、３２…第１のミラー、３３…第２のミラー、３４…赤外カットフィルタ、３５…セパレータレンズ、３５１…結像レンズ、３５２，３５３…第１及び第２の孔、３６…ＡＦ用センサ、３７…枠部材、３７１…取付枠、３７２…ホルダー部材、３７３，３７４…突部、３８…セパレータ絞り（絞りマスク）、３８１…開口、３８２，３８３…第１及び第２の孔、３８２ａ，３８３ａ…スリット、３８２ｂ，３８３ｂ…第１及び第２の弾性係止部、３９，４０…ミラー絞り、４１…フレキシブル印刷配線基板、Ａ…反射制限領域。
【図１】
2009186619.tif 000003
【図２】
2009186619.tif 000004
【図３】
2009186619.tif 000005
【図４】
2009186619.tif 000006
【図５】
2009186619.tif 000007